(57)【特許請求の範囲】
【請求項１】
島の地中に存する淡水レンズのうち少なくとも一部を平面的に閉合するように、遮水壁を地中に構築してなる浮き型地下ダムの構造であって、
前記遮水壁が、平面視して、
少なくとも、島の内陸側から海岸側へと伸びる辺を二辺含んでなる、第一遮水壁と、
前記第一遮水壁の海岸側端部を繋ぐ、第二遮水壁と、からなり、
前記遮水壁を、島の地下水の流線を遮らない位置に配置し、
前記第二遮水壁の深度を、前記第一遮水壁の深度よりも浅くしてあることを特徴とする、
浮き型地下ダムの構造。
【請求項２】
前記遮水壁が、平面視して略扇形状、略三角形状又は略矩形形状を呈することを特徴とする、請求項１に記載の浮き型地下ダムの構造。
【発明の詳細な説明】
【技術分野】
【０００１】
本発明は、淡水レンズを取水源とする浮き型地下ダムの構造に関する。
【背景技術】
【０００２】
環礁島などの地下では、島の地下に侵入した海水の上に、淡水がレンズ状に浮かんだ状態で存在している（いわゆる「淡水レンズ」）。淡水レンズは島の中央で最も層厚が大きく、海岸へ近づくにつれて薄くなっている（図８）。
また、海に近い地域の地下では、海水が楔状に地下水中に入り込んでいる。
【０００３】
なお、淡水レンズからの取水施設としては、以下の特許文献１に記載の施設や、浮き型地下ダムなどが知られている。
【先行技術文献】
【特許文献】
【０００４】
【特許文献１】特開２００６−１１８２９８号公報
【発明の概要】
【発明が解決しようとする課題】
【０００５】
「浮き型地下ダム」とは、環礁島などの地下において、淡水貯留量を増大させる技術である。
図９に示す従来の浮き型地下ダムは、島の地下に、遮水壁を平面的に閉合するように設けることで、閉合した遮水壁の内側において淡水レンズから海へ向かう流れを遮断するものである。その結果、遮水壁の内側の浸透水は、遮水壁の内側の地中の塩水上に浮かぶように貯留されることとなる。
【０００６】
このような浮き型地下ダムにあっては、ダムの内部が淡水で満たされると、淡水が遮水壁の下端に回り込んでダムの外側に流出し、遮水壁に沿った湧昇流が発生する場合がある（図１０）。
湧昇流が発生すると、ダム外側の既存の淡水レンズの厚さが減少したり、塩水が混入するおそれがあるため（図１１）、浮き型地下ダムの建設位置や形状によっては、島全体の淡水貯留量の増加が実現できない場合があった。
【０００７】
したがって、浮き型地下ダムの構築に際し、湧昇流による淡水レンズの厚さの減少を極力低減したり、あるいはその影響を小さくすることで、最終的に島全体の淡水貯留量を大きく確保することが可能な技術の提供が求められていた。
【課題を解決するための手段】
【０００８】
前記の課題を解決すべくなされた本願の第１発明は、島の地中に存する淡水レンズのうち少なくとも一部を平面的に閉合するように、遮水壁を地中に構築してなる浮き型地下ダムの構造であって、前記遮水壁が、平面視して、少なくとも、島の内陸側から海岸側へと伸びる辺を二辺含んでなる、第一遮水壁と、前記第一遮水壁の海岸側端部を繋ぐ、第二遮水壁と、からなり、前記遮水壁を、島の地下水の流線を遮らない位置に配置し、前記第二遮水壁の深度を、前記第一遮水壁の深度よりも浅くしてあることを特徴とするものである。
また、本願の第２発明は、前記第１発明において、前記遮水壁が、平面視して略扇形状、略三角形状又は略矩形形状を呈することを特徴とするものである。
【発明の効果】
【０００９】
本発明によれば、以下の効果のうち、少なくとも一つを得ることができる。
（１）浮き型地下ダムの構築後において、湧昇流の発生箇所を、元来淡水レンズの厚さが薄い海側に限定することができる。
（２）構築後の遮水壁が、島の浸透水の流線を阻害しない。
（３）（１）（２）により、既存の淡水レンズの厚さを極力維持することができ、効率的な淡水貯留が可能な浮き型地下ダムを提供できる。
【図面の簡単な説明】
【００１０】
【図１】本発明の浮き型地下ダムの平面図。
【図２】図１に係る浮き型地下ダムの基本構成を示す断面図。
【図３】浮き型地下ダムの構築前の状態を示すシミュレーション図。
【図４】遮水壁の深度を同一とした従来の浮き型地下ダムを島の中央に構築した場合の状態を示す図。
【図５】従来の浮き型地下ダムを構築した場合の状態を示す図。
【図６】本発明の浮き型地下ダム（矩形形状）を構築した場合の状態を示す図。
【図７】本発明の浮き型地下ダム（三角形状）を構築した場合の状態を示す図。
【図８】環礁島における淡水レンズの概要を示す図。
【図９】従来の浮き型地下ダムの概略平面図。
【図１０】従来の浮き型地下ダムの概略断面図。
【図１１】従来の浮き型地下ダムの構築前後の比較図。
【発明を実施するための形態】
【００１１】
以下、各図面を参照しながら、本発明に係る浮き型地下ダムの構造の実施例について説明する。
【実施例】
【００１２】
＜１＞全体構成
図１、２を参照する。
本発明に係る浮き型地下ダムＡは、地中の淡水レンズのうち少なくとも一部を平面的に閉合するように設けた遮水壁からなる。
そして、前記遮水壁のうち、平面視して陸地Ｂの海岸側にある遮水壁の深度を、陸地Ｂの内陸側から海岸側へと伸びる遮水壁の深度よりも浅くして構成することを必須とするものである。
【００１３】
［遮水壁の構築方法］
遮水壁は、薬液注入工法、その他の公知の方法で構築する。
【００１４】
［遮水壁の分類］
前記の遮水壁のうち「陸地の内陸側から海岸側へと伸びる遮水壁」を「第一遮水壁１」、「陸地の海岸側にある遮水壁の深度」を「第二遮水壁２」と定義して、詳細を説明する。
【００１５】
＜２＞第一遮水壁
第一遮水壁１は、平面視して、島の陸地の海岸側から内陸側を経由して再度海岸側に折り返すように連続する一つ以上の辺、すなわち、少なくとも、島の内陸側から海岸側へと伸びる辺を二辺含んでなる遮水壁を指す。
【００１６】
［形状例］
図１に示す第一遮水壁１は、平面視して略Λ字形状を呈するタイプである。より詳細に説明すると、陸地Ｂの内陸側のある一点から、角度を設けて海岸側に放射状に延伸した二辺の遮水壁１１，１２で構成し、各遮水壁の一端を解放したタイプである。
【００１７】
なお、第一遮水壁１を構成する各辺が、地下の流線Ｂ１を遮らないような軌跡であることが望ましい。
図１に示すように、地下の流線は、平面視して陸地Ｂの内陸側（中央側）から海岸側（海側）へと放射状に延伸していることが一般的であるため、島の中央近傍から海岸側へ拡がるように第一遮水壁１を構築する態様が、流線Ｂ１を阻害しにくい点で有益である。
【００１８】
［形状例］
その他、第一遮水壁１は、平面視して略コ字形状を呈するように構築しても良い。より詳細に説明すると、陸地Ｂの内陸側に設けた一辺の遮水壁と、当該一辺の遮水壁の両端から海岸側に延伸した二辺の遮水壁とで構成し、該二辺の遮水壁の一端を解放するよう構成することができる。なお、前記一辺の遮水壁と、二辺の遮水壁の各辺との間の角度は必ずしも直角である必要は無く、地下の流線Ｂ１の遮断が過剰にならない程度に拡縮することができる。
その他、第一遮水壁１は、四辺以上の多辺形状を呈するタイプや、円弧を描くタイプであってもよい。
【００１９】
＜３＞第二遮水壁
第二遮水壁２は、前記第一遮水壁１の両端間を繋ぐ遮水壁を指す。
【００２０】
［形状例］
前記第一遮水壁１の両端間を繋ぐ方法としては、直線状に繋いでも良いし、曲線で繋いでも良いし、それらの組合せで繋いでも良い。
【００２１】
［深度］
図２に示すように、第二遮水壁２は、第一遮水壁１よりも深度を浅く構築する。
これは、湧昇流Ｃの発生を第二遮水壁２の近傍に誘導し、第一遮水壁１の近傍での湧昇流Ｃの発生を抑制するためである。
【００２２】
なお、本発明は、第二遮水壁２のうち一部の深度を前記第一遮水壁１より浅くした構成であってもよい。
また、第二遮水壁２の深度が一定であることを必須とするものでもない。
【００２３】
＜４＞シミュレーション結果
従来の浮き型地下ダム、並びに、本発明の構造を呈する浮き型地下ダムによる、淡水レンズの態様をシミュレーションした結果を以下に示す。
本実験は三次元数値シミュレーション（解析ＣＯＤＥ：ＴＯＵＧＨ２−ＥＯＳ７）を用い、一定期間経過後の塩淡境界（塩水混入率：５０％）を示すものである。
【００２４】
＜４−１＞従来の浮き型地下ダム
図３は、浮き型地下ダムの構築前の状態を示す図である。
図４は、遮水壁の深度を均一とした従来の浮き型地下ダムを島の中央に構築した場合の状態を示す図である。
図５は、前記した従来の浮き型地下ダムを構築した場合の状態を示す図である。
図３と比較した場合、図４，５ともに、遮水壁の全周で湧昇流が発生することにより、既存の淡水レンズの厚さが大きく減少する結果となった。
【００２５】
＜４−２＞本発明の浮き型地下ダム（矩形形状）
図６は、本発明の浮き型地下ダム（矩形形状）を構築した場合の状態を示す図である。
この場合、湧昇流の発生は、島の海岸側（第二遮水壁２側）に限定されたため、島中央側の淡水レンズの厚さは、構築前の状態（図３）をほぼ維持できている。
【００２６】
＜４−３＞本発明の浮き型地下ダム（三角形状）
図７は、本発明の浮き型地下ダム（三角形状）を構築した場合の状態を示す図である。
この場合も、湧昇流の発生は、島の海岸側（第二遮水壁２側）に限定されるため、島中央側の淡水レンズの厚さは、構築前の状態（図３）をほぼ維持できている。
さらに、図６に係る矩形形状の浮き型地下ダムと比較した場合、島の内陸側から海岸側へと伸びる第一遮水壁１の近傍でも、淡水レンズの厚さは、さらに構築前の状態（図３）を維持する結果となった。
【００２７】
以上説明した通り、島の海岸側の遮水壁をその他の遮水壁よりも深度を浅くすることにより、従来の深度が均一な遮水壁で構成した浮き型地下ダムよりも、淡水レンズの厚さに悪影響を与えずに、淡水貯水量を増大させることが確認できた。
また、浮き型地下ダムを構成する遮水壁の平面形状を、島の内陸側から海岸側に向けて順次拡げたような形状（略三角形状又は略扇型形状）とした場合、島の地下の流線を遮るおそれが低減するため、より淡水貯水量の増大・確保が期待できることが確認できた。
【符号の説明】
【００２８】
Ａ    浮き型地下ダム
１    第一遮水壁
２    第二遮水壁
Ｂ    陸地
Ｂ１  流線
Ｃ    湧昇流
【図１】
0005718778.tif 000002
【図２】
0005718778.tif 000003
【図３】
0005718778.tif 000004
【図４】
0005718778.tif 000005
【図５】
0005718778.tif 000006
【図６】
0005718778.tif 000007
【図７】
0005718778.tif 000008
【図８】
0005718778.tif 000009
【図９】
0005718778.tif 000010
【図１０】
0005718778.tif 000011
【図１１】
0005718778.tif 000012